(57)【特許請求の範囲】
【請求項１】
感光体ドラムを、所定の走査周期で主走査方向に光線で走査する露光部と、
前記走査を開始する際の基準位置において、前記光線を検出する光線検出部と、
前記感光体ドラムの主走査方向における特性バラツキを補正するように前記主走査方向の一走査の期間における前記光線の強度を補正するための、補正データを予め記憶する補正データ記憶部と、
前記補正データ記憶部に記憶されている補正データを、前記露光部による走査位置と同期させるように出力する補正データ出力部と、
前記補正データ出力部から出力された補正データに応じて、前記露光部から出力される光線の強度を補正する光線強度補正部とを備え、
前記補正データ出力部は、
前記光線検出部によって前記光線が検出されたときから、前記走査周期よりも周期が短いクロック信号のカウントを開始する第１カウンタ回路と、
前記第１カウンタ回路のカウント値が、所定の第１閾値になったとき、前記クロック信号のカウントを開始する第２カウンタ回路と、
所定の開始タイミングで、前記補正データ記憶部に記憶されている補正データの、前記光線強度補正部への転送を開始する補正データ転送部とを備え、
前記開始タイミングは、
当該開始タイミングで開始される補正データの転送により補正がなされる走査より一周期前の走査において前記光線検出部によって前記光線が検出されたタイミングを基準にしてカウントが開始された前記第１カウンタ回路のカウント値によりカウントが開始された前記第２カウンタ回路のカウント値が、所定の第２閾値になったときである
ことを特徴とする光走査装置。
【請求項２】
前記光線検出部によって前記光線が検出されたときから前記補正データ転送部による補正データの転送が開始されるまでの時間が、前記走査周期より短くなるように、前記クロック信号の周期、前記第１閾値、及び前記第２閾値が設定されていること
を特徴とする請求項１記載の光走査装置。
【請求項３】
前記第２カウンタ回路が前記カウントを開始してから前記第２カウンタ回路のカウント値が前記第２閾値になるまでの時間が、前記走査周期の最大偏差より長くなるように、前記クロック信号の周期、及び前記第２閾値が設定されていること
を特徴とする請求項２記載の光走査装置。
【請求項４】
請求項１〜３のいずれか１項に記載の光走査装置と、
前記感光体ドラムと、
前記感光体ドラムを用いて用紙に画像を形成する画像形成部と
を備えることを特徴とする画像形成装置。
【発明の詳細な説明】
【技術分野】
【０００１】
本発明は、感光体ドラムを光線で走査して露光する光走査装置、及びこれを用いて用紙に画像を形成する画像形成装置に関する。
【背景技術】
【０００２】
従来より、感光体ドラムを光線で走査することにより画像を形成するいわゆる電子写真プロセスの画像形成装置が知られている。このような感光体ドラムは、製造バラツキ等により、周面上の位置毎に感度むら等の特性バラツキが生じてしまう場合がある。そのため、このような感光体ドラムを用いて画像形成を行うと、印刷される画像の濃度にムラが生じてしまう。
【０００３】
そこで、感光体ドラムの周方向に沿った特性バラツキを補正する技術が知られている（例えば、特許文献１参照。）。また、主走査方向の感光体ドラムの特性バラツキを補正するためにレーザ光のパワーを印字中に制御する技術が知られている。この場合、１走査の間にレーザ光のパワーを変化させる必要がある。そこで、上述の特性バラツキを補正するためのレーザ光のパワーを示す補正データを、主走査方向の１走査分予め用意しておき、一定の周期タイミングでこの補正データをデジタルアナログコンバータ等の光線強度補正部に設定してアナログ電圧に変換することで、補正データに応じた制御電圧をレーザ光源に付与して、レーザ光の光量を補正する技術も知られている。
【０００４】
ところで、主走査方向の１走査の間にレーザ光のパワーを変化させて、感光体ドラムの特性バラツキを補正するためには、レーザ光による感光体ドラムの走査位置と、補正データに応じた制御電圧の生成タイミングとを同期させる必要がある。そこで、レーザ光による感光体ドラムの走査開始位置の手前に、光センサを設けておき、光センサでレーザ光が検出されたタイミングを基準にして補正データのデジタルアナログコンバータ等の光線強度補正部への転送を開始することで、走査位置と制御電圧とを同期させるようにしている。
【特許文献１】特開２００５−２２７４５２号公報
【発明の開示】
【発明が解決しようとする課題】
【０００５】
しかしながら、画像形成速度を高速化するために、レーザ光の走査速度を速くすると、光センサによるレーザ光の検出タイミングから、レーザ光による感光体ドラムの走査が開始されるまでの時間が短くなる。そのため、光センサでレーザ光が検出されてから補正データの光線強度補正部への転送を開始すると、光線強度補正部による制御電圧の生成が、同期タイミングに間に合わなくなるという不都合があった。
【０００６】
本発明は、このような事情に鑑みて為された発明であり、光センサでレーザ光が検出される前に、補正データの光線強度補正部への転送を開始することができる光走査装置、及びこれを用いた画像形成装置を提供することを目的とする。
【課題を解決するための手段】
【０００７】
本発明に係る光走査装置は、感光体ドラムを、所定の走査周期で主走査方向に光線で走査する露光部と、前記走査を開始する際の基準位置において、前記光線を検出する光線検出部と、前記感光体ドラムの主走査方向における特性バラツキを補正するように前記主走査方向の一走査の期間における前記光線の強度を補正するための、補正データを予め記憶する補正データ記憶部と、前記補正データ記憶部に記憶されている補正データを、前記露光部による走査位置と同期させるように出力する補正データ出力部と、前記補正データ出力部から出力された補正データに応じて、前記露光部から出力される光線の強度を補正する光線強度補正部とを備え、前記補正データ出力部は、前記光線検出部によって前記光線が検出されたときから、前記走査周期よりも周期が短いクロック信号のカウントを開始する第１カウンタ回路と、前記第１カウンタ回路のカウント値が、所定の第１閾値になったとき、前記クロック信号のカウントを開始する第２カウンタ回路と、所定の開始タイミングで、前記補正データ記憶部に記憶されている補正データの、前記光線強度補正部への転送を開始する補正データ転送部とを備え、前記開始タイミングは、当該開始タイミングで開始される補正データの転送により補正がなされる走査より一周期前の走査において前記光線検出部によって前記光線が検出されたタイミングを基準にしてカウントが開始された前記第１カウンタ回路のカウント値によりカウントが開始された前記第２カウンタ回路のカウント値が、所定の第２閾値になったときである。
【０００８】
この構成によれば、光線検出部によって光線が検出されたタイミング、すなわち走査の基準となるタイミングから、第１カウンタ回路によって、クロック信号のカウントが開始される。また、第１カウンタ回路のカウント値が所定の第１閾値になったとき、第２カウンタ回路によりクロック信号のカウントが開始される。そして、第２カウンタ回路のカウント値が所定の第２閾値になったとき、補正データ転送部によって、補正データ記憶部に記憶されている補正データの、光線強度補正部への転送が開始される。
【０００９】
これにより、一周期前の走査タイミングにおいて光センサでレーザ光が検出されたタイミングを基準にして、第１及び第２カウンタ回路によるクロック信号のカウントを行うことで、補正データ転送部による補正データの転送開始タイミングが生成されるので、当該走査周期において光センサでレーザ光が検出される前に、補正データの光線強度補正部への転送を開始することが可能となる。また、カウンタ回路を二つ用いることで、後述するように、走査周期が変動した場合であっても、補正データの転送を開始できなくなるおそれを低減することが可能となる。
【００１０】
また、前記光線検出部によって前記光線が検出されたときから前記補正データ転送部による補正データの転送が開始されるまでの時間が、前記走査周期より短くなるように、前記クロック信号の周期、前記第１閾値、及び前記第２閾値が設定されていることが好ましい。
【００１１】
この構成によれば、一周期前の走査タイミングにおいて光センサでレーザ光が検出されたタイミングから、補正データ転送部による補正データの転送が開始されるまでの時間が、走査周期より短いので、当該走査周期において光センサでレーザ光が検出される前に、補正データの光線強度補正部への転送を開始する確実性が向上する。
【００１２】
また、前記第２カウンタ回路が前記カウントを開始してから前記第２カウンタ回路のカウント値が前記第２閾値になるまでの時間が、前記走査周期の最大偏差より長くなるように、前記クロック信号の周期、及び前記第２閾値が設定されていることが好ましい。
【００１３】
この構成によれば、第２カウンタ回路がカウントを開始してから第２カウンタ回路のカウント値が第２閾値になるまでの時間が、走査周期の最大偏差より長いので、偏差によって走査周期が最も短くなった場合であっても、第２カウンタ回路がカウントを開始する前に、光センサでレーザ光が検出されて第１カウンタ回路が新たにカウントを開始してしまうことで第２カウンタ回路がカウントを開始しないままになってしまうおそれが低減される。
【００１４】
また、本発明に係る画像形成装置は、上述の光走査装置と、前記感光体ドラムと、前記感光体ドラムを用いて用紙に画像を形成する画像形成部とを備える。
【００１５】
この構成によれば、画像形成装置の光走査装置において、光センサでレーザ光が検出される前に、補正データの光線強度補正部への転送を開始することができる。
【発明の効果】
【００１６】
このような構成の光走査装置及び画像形成装置は、一周期前の走査タイミングにおいて光センサでレーザ光が検出されたタイミングを基準にして、第１及び第２カウンタ回路によるクロック信号のカウントを行うことで、補正データ転送部による補正データの転送開始タイミングが生成されるので、当該走査周期において光センサでレーザ光が検出される前に、補正データの光線強度補正部への転送を開始することが可能となる。また、カウンタ回路を二つ用いることで、後述するように、走査周期が変動した場合であっても、補正データの転送を開始できなくなるおそれを低減することが可能となる。
【発明を実施するための最良の形態】
【００１７】
以下、本発明に係る実施形態を図面に基づいて説明する。なお、各図において同一の符号を付した構成は、同一の構成であることを示し、その説明を省略する。図１は、本発明の一実施形態に係る光走査装置を用いた画像形成装置の一例である複写機の内部構成を概略的に示す構造図である。図２は、図１に示す複写機１の電気的構成の一例を示すブロック図である。なお、画像形成装置は、複写機に限られず、プリンタ、ファクシミリ、あるいはこれらの機能を兼ね備えた複合機等であってもよい。
【００１８】
この複写機１は、本体部２と、本体部２の左方に配設されたスタックトレイ３と、本体部２の上部に配設された原稿読取部５と、原稿読取部５の上方に配設された原稿給送部６と、本体部２の内部に配設された制御部１００とを有している。
【００１９】
複写機１のフロント部には、略長方形の操作パネル部４７が設けられている。操作パネル部４７は、表示部４７３と、操作キー部４７６とを備えている。表示部４７３は、例えばタッチパネル機能を有する液晶ディスプレイ等によって構成されている。操作キー部４７６は、例えばユーザが印刷実行指示を入力するためのスタートキーや、印刷部数等を入力するためのテンキー等の各種キースイッチを備えている。
【００２０】
原稿読取部５は、ＣＣＤ（Charge Coupled Device）５１２及び露光ランプ５１１等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３とを備える。
【００２２】
本体部２は、複数の給紙カセット４６１と、給紙カセット４６１から用紙を１枚ずつ繰り出して画像形成部４０へ搬送する給紙ローラ４６２と、給紙カセット４６１から搬出されてきた用紙に画像を形成する画像形成部４０と、装置全体の動作制御を司る制御部１００とを備える。
【００２３】
画像形成部４０は、用紙搬送部４１１、光走査装置４２、感光体ドラム４３、現像部４４、転写部４１、及び定着部４５を備えている。用紙搬送部４１１は、画像形成部４０内の用紙搬送路中に設けられ、給紙ローラ４６２によって搬送されてきた用紙を感光体ドラム４３に供給する搬送ローラ４１２や、用紙をスタックトレイ３又は排出トレイ４８まで搬送する搬送ローラ４６３，４６４等を備えている。
【００２４】
光走査装置４２は、制御部１００から出力された画像データに基づきレーザ光等を出力して感光体ドラム４３を露光することで、感光体ドラム４３上に静電潜像を形成する。現像部４４は、感光体ドラム４３上の静電潜像をトナー現像してトナー像を形成する。転写部４１は、感光体ドラム４３上のトナー像を用紙に転写する。定着部４５は、トナー像が転写された用紙を加熱してトナー像を用紙に定着させる。
【００２５】
制御部１００は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。制御部１００には、原稿読取部５、画像形成部４０、操作パネル部４７、及びＨＤＤ（Hard Disk Drive）１５０が接続されている。そして、制御部１００は、ＲＯＭやＨＤＤ１５０等に記憶された制御プログラムを実行することにより、装置内の各部の動作を制御して、原稿画像の複写を実行する。
【００２６】
具体的には、制御部１００は、原稿読取部５によって原稿から読み取られた画像データを、レーザ光源の駆動信号Ｓ１に変換して光走査装置４２へ送信し、画像形成部４０によって、当該画像の画像形成を実行させる。
【００２７】
図３は、本発明の一実施形態に係る光走査装置４２の構成の一例を説明するための説明図である。図３に示す光走査装置４２は、光センサ４２１（光線検出部）、補正データ記憶部４２２、ＤＡ（デジタルアナログ）コンバータ４２３（光線強度補正部）、補正データ出力部４２４、及び露光部４９を備えている。
【００２８】
補正データ出力部４２４は、第１カウンタ回路４２５、第２カウンタ回路４２６、及び補正データ転送部４２７を備えている。露光部４９は、レーザ光源４９１、コリメータレンズ４９２、プリズム４９３、ポリゴンミラー４９４、ｆ−θレンズ４９５、及び駆動信号出力部４９６を備えている。
【００２９】
感光体ドラム４３は、支持軸４３ａにより軸支された状態で回転可能にされている。そして、レーザ光源４９１は、感光体ドラム４３の周面に、画像データに応じて光を照射することで、感光体ドラム４３を露光する。ここで、支持軸４３ａが延びる方向が主走査方向となる。
【００３０】
レーザ光源４９１は、駆動信号出力部４９６から出力される駆動信号Ｓ３の信号レベルに応じた強度のレーザ光を出力する。
【００３１】
コリメータレンズ４９２は、レーザ光源４９１から出力されるレーザ光を集光する。プリズム４９３は、コリメータレンズ４９２を透過した光を平行光に変換し、ポリゴンミラー４９４に向けて放出する。ポリゴンミラー４９４は、入射光を感光体ドラム４３に向けて反射させる反射面を複数有する。そして、ポリゴンミラー４９４は、例えば図３の矢印方向に一定速度で回転することで、周期的に、レーザ光を感光体ドラム４３に反射して感光体ドラム４３の主走査方向に走査する。ｆ−θレンズ４９５は、ポリゴンミラー４９４により反射されたレーザ光を感光体ドラム４３の表面上に所定の径を有するスポット状に結像する。
【００３２】
駆動信号出力部４９６は、制御部１００から出力された駆動信号Ｓ１の信号レベルを、ＤＡコンバータ４２３から出力された補正信号Ｓ２の信号レベルに応じて補正することで、レーザ光源４９１の駆動信号Ｓ３を生成する。
【００３３】
光センサ４２１は、画像の走査線における開始側の感光体ドラム４３の端部付近に配設されている。そして、光センサ４２１にレーザ光があたると、検知信号ＢＤが例えばローレベルにされて、制御部１００や補正データ出力部４２４へ出力される。
【００３４】
補正データ記憶部４２２は、例えばＥＥＰＲＯＭ（Electrically Erasable and Programmable Read Only Memory）等の不揮発性の記憶素子を用いて構成されている。そして、補正データ記憶部４２２には、感光体ドラム４３の主走査方向における特性バラツキを補正するように、主走査方向の１走査の期間におけるレーザ光の強度を補正するための、補正データが予め記憶されている。補正データは、例えば複写機１の生産時に、感光体ドラム４３の特性を測定することで得られる。
【００３５】
補正データ出力部４２４は、ＤＡコンバータ４２３の応答時間を考慮して、露光部４９によるレーザ光の走査位置と補正信号Ｓ２とが同期するタイミングで、補正データ記憶部４２２に記憶されている補正データをＤＡコンバータ４２３へ出力する。
【００３６】
第１カウンタ回路４２５は、光センサ４２１によってレーザ光が検出されたときから、ポリゴンミラー４９４によるレーザ光の走査周期よりも周期が短いクロック信号ＣＫのカウントを開始する。第２カウンタ回路４２５は、第１カウンタ回路４２５のカウント値が、予め設定された第１閾値になったとき、クロック信号ＣＫのカウントを開始する。
【００３７】
補正データ転送部４２７は、第２カウンタ回路４２５のカウント値が、予め設定された第２閾値になったとき、補正データ記憶部４２２に記憶されている補正データの、ＤＡコンバータ４２３への転送を開始する。
【００３８】
図４は、図３に示す光走査装置４２の動作の一例を示す説明図である。レーザ光源４９１から出力されたレーザ光は、ポリゴンミラー４９４の回転に応じて、走査周期ｔｃｙｃ毎に、感光体ドラム４３を走査する。そして、レーザ光が光センサ４２１にあたると、光センサ４２１の検知信号ＢＤが、パルス状にローレベルにされて、制御部１００及び第１カウンタ回路４２５へ出力される（タイミングＴ１）。
【００３９】
そうすると、検知信号ＢＤの立上りタイミングで第１カウンタ回路４２５がリセットされ、第１カウンタ回路４２５によるクロック信号ＣＫのカウントが開始される（タイミングＴ２）。そして、第１カウンタ回路４２５は、カウント値が、例えば第１閾値の一例である「３」になると、信号Ｓ４をパルス状にローレベルにして第２カウンタ回路４２６へ出力する（タイミングＴ３）。
【００４０】
そうすると、信号Ｓ４の立上りタイミングで第２カウンタ回路４２６がリセットされ、第２カウンタ回路４２６によるクロック信号ＣＫのカウントが開始される（タイミングＴ４）。そして、第２カウンタ回路４２６は、カウント値が、例えば第２閾値の一例である「２」になると、補正データ転送部４２７へ、補正データの転送開始を指示する制御信号を出力する。
【００４１】
そうすると、この制御信号に応じて、補正データ転送部４２７によって、補正データ記憶部４２２に記憶されている補正データが順次読み出され、ＤＡコンバータ４２３へ出力される（タイミングＴ５）。このとき、補正データの出力が開始されるタイミングＴ５は、検知信号ＢＤの立上りタイミング（タイミングＴ２）から、第１閾値と第２閾値の合計値にクロック信号ＣＫの周期を乗じた時間と、信号Ｓ４のパルス幅とを加算した時間の経過後となる。
【００４２】
ここで、信号Ｓ４のパルス幅はほとんど無視できる。そして、第１閾値と第２閾値の合計値にクロック信号ＣＫの周期を乗じた時間が、走査周期ｔｃｙｃより、短くなるように、クロック信号ＣＫの周期、第１閾値、及び第２閾値が予め設定されている。その結果、補正データの出力が開始されるタイミングＴ５は、次に検知信号ＢＤが立ち下がるタイミングＴ６より前、すなわち光センサ４２１でレーザ光が検出される前となる。
【００４３】
そして、ＤＡコンバータ４２３によって、補正データに応じた信号レベルの補正信号Ｓ２が、駆動信号出力部４９６へ出力される。そうすると、タイミングＴ６より前から、ＤＡコンバータ４２３によるデジタルアナログ変換が開始されるから、ＤＡコンバータ４２３の変換時間により補正信号Ｓ２が遅れても、タイミングＴ６と同期して制御部１００から出力される駆動信号Ｓ１と、補正信号Ｓ２とを同期させることが容易となる。
【００４４】
次に、このようにタイミングが同期した駆動信号Ｓ１と補正信号Ｓ２とに基づいて、駆動信号出力部４９６によって、レーザ光源４９１の駆動信号Ｓ３が生成され、レーザ光源４９１へ出力される。
【００４５】
なお、図５においては、補正データもクロック信号ＣＫと同期して変化する例を示しているが、補正データ出力部４２４は、補正データの転送開始タイミングを生成できればよく、クロック信号ＣＫと同期して補正データを転送させる必要はない。
【００４６】
ところで、レーザ光の走査周期ｔｃｙｃは、ポリゴンミラー４９４の加工精度やポリゴンミラー４９４を回転させるモータの回転精度の影響で、変動が生じる。従って、走査周期ｔｃｙｃの最大偏差がｔｄｅｆであった場合、検知信号ＢＤのパルス間隔が、最短で（ｔｃｙｃ−ｔｄｅｆ）になる場合がある。
【００４７】
しかし、図３に示す補正データ出力部４２４によれば、第２閾値にクロック信号ＣＫの周期を乗じた時間が、最大偏差ｔｄｅｆより長くなるように、クロック信号ＣＫの周期、及び第２閾値が予め設定されているので、例え検知信号ＢＤのパルス間隔が最短の（ｔｃｙｃ−ｔｄｅｆ）になった場合であっても、第２カウンタ回路４２６がカウントを開始するタイミングＴ８より前に、次の検知信号ＢＤが立ち下がって第１カウンタ回路４２５がリセットされてしまうことがなく、従って、第２カウンタ回路４２６のカウントが開始されなくなることがない。
【００４８】
ここで、もし仮に、補正データ出力部４２４と異なり、カウンタ回路を１つしか用いずに、検知信号ＢＤが立ち下がるタイミングより前、すなわち光センサ４２１でレーザ光が検出される前に補正データ記憶部４２２からＤＡコンバータ４２３への補正データの出力を開始しようとすると、図５に示すようになる。
【００４９】
この場合、カウンタ回路は、検知信号ＢＤの立上りタイミングでリセットされてカウントを開始する（タイミングＴ１０１，Ｔ１０２）。また、補正データ転送部は、このカウンタのカウント値が例えば「６」になったときに、補正データの転送を開始する（タイミングＴ１０３，Ｔ１０４）。
【００５０】
ところが、検知信号ＢＤのパルス間隔が、（ｔｃｙｃ−ｔｄｅｆ）になった場合、この構成では、カウント値が「６」になる前に「０」にリセットされてしまう（タイミングＴ１０５）。カウント値が「６」にならないと、補正データ転送部による新たな補正データの転送が開始されないから、タイミングＴ１０５以降、補正データ転送部からＤＡコンバータ４２３へ出力される補正データが更新されず、従って、補正データに基づくレーザ光の強度補正ができなくなるという不都合が生じる。
【００５１】
一方、図３に示す補正データ出力部４２４によれば、図４に示すように、例え検知信号ＢＤのパルス間隔が最短の（ｔｃｙｃ−ｔｄｅｆ）になった場合であっても、第２カウンタ回路４２６は正常にカウントを継続することができる。そして、補正データ転送部４２７は、第２カウンタ回路４２６のカウント値に応じて、新たな補正データの転送を開始するので、補正データに基づくレーザ光の強度補正ができなくなるおそれが低減される。
【００５２】
以上のような構成により、感光体ドラム４３の表面上でレーザ光が主走査方向に一定速度で繰り返し走査される。帯電された感光体ドラム４３表面にレーザ光が照射されると、その照射された部分の電荷が除去される。複写機１は、このような感光体ドラム４３の表面に対するレーザ光の照射を画像データに対応して行い、感光体ドラム４３の表面の電位を選択的に減衰させて静電潜像を形成し、感光体ドラム４３の表面に形成された静電潜像をトナーにより現像し、該トナー像を用紙に転写する。
【図面の簡単な説明】
【００５３】
【図１】本発明の一実施形態に係る光走査装置を用いた画像形成装置の一例である複写機の内部構成を概略的に示す構造図である。
【図２】図１に示す複写機の電気的構成の一例を示すブロック図である。
【図３】本発明の一実施形態に係る光走査装置の構成の一例を説明するための説明図である。
【図４】図３に示す光走査装置の動作の一例を示す説明図である。
【図５】カウンタ回路を一つしか用いない光走査装置の動作を説明するための説明図である。
【符号の説明】
【００５４】
１  複写機
５  原稿読取部
６  原稿給送部
４０  画像形成部
４１  転写部
４２  光走査装置
４３  感光体ドラム
４４  現像部
４５  定着部
４７  操作パネル部
４８  排出トレイ
４９  露光部
５１  スキャナ部
５２  原稿台
５３  原稿読取スリット
６１  原稿載置部
６２  原稿排出部
６３  原稿搬送機構
１００  制御部
４２１  光センサ
４２２  補正データ記憶部
４２３  ＤＡコンバータ
４２４  補正データ出力部
４２５  第１カウンタ回路
４２６  第２カウンタ回路
４２７  補正データ転送部
４９１  レーザ光源
４９２  コリメータレンズ
４９３  プリズム
４９４  ポリゴンミラー
４９５  ｆ−θレンズ
４９６  駆動信号出力部
ＢＤ  検知信号
ＣＫ  クロック信号
Ｓ２  補正信号
ｔｃｙｃ  走査周期
ｔｄｅｆ  最大偏差
【図１】
0005227648.tif 000002
【図２】
0005227648.tif 000003
【図３】
0005227648.tif 000004
【図４】
0005227648.tif 000005
【図５】
0005227648.tif 000006